(57)【要約】【課題】安価に製造可能であり、曲面にも貼り付け可能な金属表面貼り付け用のＲＦＩＤ粘着ラベルを得ると共に、剥離時に破壊されるＲＦＩＤ粘着ラベルを得ることを課題とする。【解決手段】インレイ固着領域３２と粘着領域３３を有する基材シート３１とインレイ５１からなるＲＦＩＤ粘着ラベル１２であって、インレイ固着領域３２にインレイ５１を固着し、基材シートの粘着領域３３の一方表面に粘着剤層を形成し、基材シートの粘着領域３３に、部分切断線１５を設け、前記インレイの外周部であって、前記部分切断線の延長線上ないし、延長線の近傍に切り込み部５２を設けたＲＦＩＤ粘着ラベル１２である。【選択図】図３
2006227670.tif 000002
【特許請求の範囲】
【請求項１】
基材シートとインレイからなるＲＦＩＤ粘着ラベルであって、前記基材シートは少なくともインレイ固着領域と粘着領域を有し、前記インレイ固着領域に前記インレイを固着し、前記粘着領域は前記インレイ固着領域を基準として前記インレイの一の輪郭線の外側に配置され、前記粘着領域の一方表面に粘着剤層を形成したＲＦＩＤ粘着ラベル。
【請求項２】
第１基材シート、第２基材シートとインレイからなるＲＦＩＤ粘着ラベルであって、第１基材シートは少なくとも第１インレイ固着領域と第１粘着領域を有し、第２基材シートは少なくとも第２インレイ固着領域と第２粘着領域を有し、第１粘着領域と第２粘着領域が対面するように、前記インレイの一方表面である第１表面に第１基材シートの第１インレイ固着領域を固着するとともに前記インレイの他方表面である第２表面に第２基材シートの第２インレイ固着領域を固着し、第１粘着領域と第２粘着領域の各々の対面する表面に粘着剤層を形成したＲＦＩＤ粘着ラベル。
【請求項３】
請求項２記載のＲＦＩＤ粘着ラベルにおいて、第１基材シートの第１粘着領域に、第１インレイ固着領域と第１粘着領域を結ぶ方向と一致する部分切断線を設け、前記インレイの周縁部であって、前記部分切断線の延長線の近傍に切り込み部を設けたことを特徴とする請求項２記載のＲＦＩＤ粘着ラベル。
【発明の詳細な説明】
【技術分野】
【０００１】
本発明は、ＲＦＩＤを含む粘着ラベルに関するものである。より詳しくは特に金属表面への貼付に適したＲＦＩＤを含む粘着ラベルに関するものである。
【背景技術】
【０００２】
ＲＦＩＤは、ＩＣタグ、ＲＦタグ、無線タグ、電子タグなどとも呼ばれるもので、これを貼付などされた物などと、その物などに関する情報とを一体化させる目的で使用される。インレイとはＰＥＴなどの基材フィルム上にアンテナとアンテナに連結されたＩＣチップが固定されたＲＦＩＤの回路単位をいう。
ＲＦＩＤは、電磁界により情報の伝達を行うものであり、金属箔、金属蒸着フィルム、金属板などにＲＦＩＤを直接装着すると誤作動を生じる。
従来の金属表面貼り付け用のＲＦＩＤは、ＩＣタグと貼り付け面である金属表面の間にフェライトシートを介在させ、金属による電磁界変化を遮断している（例えば、特許文献１参照）。
【０００３】
一方、ＲＦＩＤはこれを貼り付けなどされた物品などの固体特定情報を記録することができ、この固体特定情報を物品などの信憑性を保証する情報（以下セキュリティ情報と呼ぶことがある）として用いることも可能である。ＲＦＩＤをセキュリティ情報記録手段として用いる場合には、被着体とＲＦＩＤ内の記録情報が一致していることが不可欠であり、一度使用したＲＦＩＤは他の物品に使用できないようにすることが好ましい。
【０００４】
従来、再使用防止ＲＦＩＤとして、基材フィルム上にアンテナ、ＩＣチップ等を固着し、当該アンテナ、ＩＣチップ等の上に強力な接着層を形成したものが知られている。このＲＦＩＤをいったん物品に貼り付けた後に剥離すると基材フィルムのみが剥離され、アンテナ等が物品上に残置されＲＦＩＤが破壊される（例えば特許文献２参照）。
【特許文献１】特開２００４−１２７０５７号公報
【特許文献２】特開２００５−１１３３０号公報
【発明の開示】
【発明が解決しようとする課題】
【０００５】
従来の金属表面貼付け用のＲＦＩＤは、フェライトなど付加的な材料、構成物を使用するのでコストアップにつながる。また、フェライトシートは一定の剛性を有し、曲面に貼り付けるには限度がある。
一方、従来の再使用防止ＲＦＩＤは被着体にＲＦＩＤの一部分を残置するものであり、剥離後の被着体は美観が損なわれることがある。特に食品容器に貼り付けるＲＦＩＤは、一部分が残置されると、美観のみならず嗜好に大きな影響を与え、商品の売れ行きにも悪影響を与えかねない。
【０００６】
そこで、本発明は安価に製造可能であり、曲面にも貼り付け可能な金属表面貼り付け用のＲＦＩＤ粘着ラベルを得ることを課題とする。
また、本発明は上記の課題と共に剥離時に破壊され、被着体に残置物が残りにくいＲＦＩＤ粘着ラベルを得ることを課題とする。
本発明のその他の課題は以下の本発明の説明より明らかになる。
【課題を解決するための手段】
【０００７】
上記の課題を解決するため、本発明の一の態様にかかるＲＦＩＤ粘着ラベルは、基材シートとインレイからなるＲＦＩＤ粘着ラベルであって、前記基材シートは少なくともインレイ固着領域と粘着領域を有し、前記インレイ固着領域に前記インレイを固着し、前記粘着領域は前記インレイ固着領域を基準として前記インレイの一の輪郭線の外側に配置され、前記粘着領域の一方表面に粘着剤層を形成した。
【０００８】
被着体に貼り付けられた本ＲＦＩＤ粘着ラベルのインレイは被着体の表面から一定距離離れた位置に位置付けられるので、被着体の表面が金属であってもＲＦＩＤの電磁波による通信は支障無く行うことができる。
なお、被着体に貼り付けられた本ＲＦＩＤ粘着ラベルは、そのインレイが常時被着体から一定距離離れた状態に保持されている必要は無く、ＲＦＩＤの通信（読み出し、書き込み）時に被着体の表面から距離をおいた位置に位置付けられればよい。
【０００９】
本ＲＦＩＤ粘着ラベルは、粘着領域で被着体に貼り付けられるので、被着体の一部分が貼付力を維持するに十分な面（平面でも曲面でもよい）を有すれば貼着可能という効用も有する。
本ＲＦＩＤ粘着ラベルは、被着体が金属表面である場合に特に効果を有するものであるが、非金属表面に貼り付けても良い。また、本ＲＦＩＤ粘着ラベルのインレイは被着体の表面から一定距離離れた位置に位置付けられるので、ＰＯＰ手段としての効用をも有する。
【００１０】
本発明の他の態様にかかるＲＦＩＤ粘着ラベルは、第１基材シート、第２基材シートとインレイからなるＲＦＩＤ粘着ラベルであって、第１基材シートは少なくとも第１インレイ固着領域と第１粘着領域を有し、第２基材シートは少なくとも第２インレイ固着領域と第２粘着領域を有し、第１粘着領域と第２粘着領域が対面するように、前記インレイの一方表面である第１表面に第１基材シートの第１インレイ固着領域を固着するとともに前記インレイの他方表面である第２表面に第２基材シートの第２インレイ固着領域を固着し、第１粘着領域と第２粘着領域の各々の対面する表面に粘着剤層を形成した。
【００１１】
本ＲＦＩＤ粘着ラベルは第１基材シートの第１粘着領域と、第２基材シートの第２粘着領域により被着体に貼り付けられている。第１基材シートと第２基材シートがそれぞれ平面状態を維持しようとする結果、本ＲＦＩＤ粘着ラベルのインレイは被着体の表面に対して垂直方向に位置付けられ、この位置付けが維持され得る。よって、本ＲＦＩＤ粘着ラベルのインレイは、被着体の表面から一定距離離れた位置に位置付けられるので、被着体の表面が金属であってもＲＦＩＤの電磁波による通信は支障無く行うことができる。
なお、被着体に貼り付けられたＲＦＩＤ粘着ラベルは、常時被着体に垂直に保持されている必要は無く、ＲＦＩＤの通信（読み出し、書き込み）時に被着体の表面から距離をおいた位置に位置付けられればよい。
【００１２】
本ＲＦＩＤ粘着ラベルは、粘着領域で被着体に貼り付けられるので、被着体の一部分が貼付力を維持するに十分な面（平面でも曲面でもよい）を有すれば貼着可能という効用も有する。
本ＲＦＩＤ粘着ラベルは、被着体が金属表面である場合に特に効果を有するものであるが、非金属表面に貼り付けても良い。
第１基材シートと第２基材シートは単一の基材シートを折り曲げて、２つの部分を第１基材シート第２基材シートとしてもよく、また２個の基材シートであってもよい。
【００１３】
本発明の好ましい実施態様にかかるＲＦＩＤ粘着ラベルは、本発明の他の態様にかかるＲＦＩＤ粘着ラベルにおいて、第１基材シートの第１粘着領域に、第１インレイ固着領域と第１粘着領域を結ぶ方向と一致する部分切断線を設け、前記インレイの周縁部であって、前記部分切断線の延長線の近傍に切り込み部を設けてもよい。
【００１４】
本好ましい実施態様にかかるＲＦＩＤ粘着ラベルの使用方法は以下の通りである。
例えば、酒ビン本体とそのスクリューキャップ部分の中間に基材シートの粘着領域に設けられた部分切断線を略一致させ、酒ビン本体とスクリューキャップ部分を跨ぐようにＲＦＩＤ粘着ラベルを貼り付ける。
【００１５】
ＲＦＩＤ粘着ラベルを剥離する場合には、部分切断線により基材シートが引裂かれ、この引裂きの力がインレイの切り込み部分にインレイ引裂きの力として作用する。切り込み部分は、インレイ引裂きの開始点として作用する。この結果インレイは引きちぎられて２つに分離され、破壊される。被着体にＲＦＩＤ粘着ラベルの一部が残されたとしても、残されるものは基材シートの一部分であり、アンテナなど金属性の箔膜を含むものとは異なる。このため、被着体が飲料や食品容器であっても、許容される可能性が高く、嗜好を妨げる割合が少ない。
【００１６】
以上説明した本発明の態様、好ましい実施態様及びこれらに含まれる構成要素は可能な限り組み合わせて実施することができる。
【発明の効果】
【００１７】
本発明にかかるＲＦＩＤ粘着ラベルは、金属表面に貼り付けても通信を支障無く行うことが可能であって、安価に製造でき、また、曲面にも貼り付け可能となる。また、ＰＯＰ手段として利用することもできる。
本発明の好ましい実施態様にかかるＲＦＩＤ粘着ラベルは、さらに、剥離時に破壊されるので、例えば内容物の信憑性を保証する手段などセキュリティ情報手段として用いることができる。
【発明を実施するための最良の形態】
【００１８】
以下に図面を参照して、本発明にかかるＲＦＩＤ粘着ラベルをさらに説明する。この発明の実施例に記載されている部材や部分の寸法、材質、形状、その相対位置などは、とくに特定的な記載のない限りは、この発明の範囲をそれらのみに限定する趣旨のものではなく、単なる説明例にすぎない。
【００１９】
図１はＲＦＩＤ粘着ラベル（１）の使用例を説明する説明図であり、図２はＲＦＩＤ粘着ラベル（１）の構成を説明する説明図である。
ＲＦＩＤ粘着ラベル（１）１１はレトルトパウチ食品の入った袋７１の表面に貼り付けられている。ＲＦＩＤ粘着ラベル（１）１１は基材シート２１とインレイ５１から構成される。基材シート２１はインレイ固着領域２２と粘着領域２３から成る。インレイ固着領域２２にはインレイ５１が固着される。インレイ５１とインレイ固着領域の固着には、接着剤や粘着剤の使用等、公知の固着手段が使用できる。インレイ５１が少なくとも片面に保護シート等を有する場合には、インレイ５１とインレイ固着領域の固着には溶媒や加熱による融着手段を使用することもできる。
【００２０】
粘着領域２３のいずれかの片方の面には粘着剤層が形成される。粘着剤層は被着体の表面に貼り付けられる層である。粘着領域２３はインレイ固着領域２２を基準としてインレイ５１の一の輪郭線の外側に配置されている。したがって、インレイ５１の輪郭線の一辺のみが被着体の表面に近接し、インレイ５１の輪郭線の他の辺は被着体の表面から離れることが可能な自由辺となる。
【００２１】
基材シート２１のインレイ固着領域２２と粘着領域２３を含む一方表面の全面に粘着剤層を形成し、当該粘着剤層によりインレイ固着領域２２とインレイ５１の固着を行い、かつ、粘着領域２３に形成された粘着材層を被着体への貼り付けに用いてもよい。
粘着剤層は粘着領域２３のいずれか片面に形成すればよいが、上述のようにインレイが固着される面と同一表面に形成するほうが簡単で経済的である。
粘着剤層はアクリル系、ウレタン系、ゴム系などの公知の粘着剤を使用すればよい。粘着剤の粘着強度は、被着表面の性質、ラベル貼付け期間、擦過環境などを考慮して、適宜に定めることができる。粘着剤層は、必要領域の全面に形成してもよく、必要領域内に縞状や散点状に形成してもよい。
【００２２】
粘着剤層は、必要に応じて剥離紙で覆ってもよく、また基材シートの粘着剤層を形成する面の裏面を剥離処理して、粘着領域２３を積重ね（ＲＦＩＤ粘着ラベル（１）１１が積層して保管される）てもよい。
インレイ固着領域２２と粘着領域２３は隣接してもよく、また、これらの領域の間に粘着剤層の無い領域が介在していてもよい。粘着剤層の無い領域が介在すると、インレイの全輪郭線が、被着体の表面から離れた位置に位置付けられ得るという効果がある。粘着剤層の無い領域の好ましい距離は、ＲＦＩＤの通信周波数により異なるが、一般には、好ましくは３ｍｍ以上、より好ましくは５ｍｍ以上、さらに好ましくは１０ｍｍ以上にすればよい。
【００２３】
基材シートの材質に特に制限はなく、紙、合成紙、ポリエチレンテレフタレート（ＰＥＴ）、ポリオレフィン系、アクリル系などの合成樹脂、ポリ乳酸などの生分解性樹脂などを使用する事ができる。
【００２４】
インレイ５１は、インレイ基材フィルム（厚さ３８μｍのＰＥＴフィルム）上に接着剤を塗布し、アルミニウムを含むインキを用いてスクリーン印刷により渦巻き状のアンテナを形成する。さらに当該アンテナにＩＣチップを導電的に接続・固定したものである。インレイ５１は、上記基本的構成に、さらに片面及び／又は両面に、合成紙、ＥＶＡ、ＰＥＴシートなどが積層されていてもよい。
【００２５】
インレイ５１はその他の材料、製造方法などで製造されたものでもよい。例えば、インレイ基材フィルムは、ポリイミドフィルム、ＰＢＴフィルムであってもよい。インレイ基材フィルムの厚さに特に制限はないが、通常厚さ１０μｍ〜１００μｍ、好ましくは厚さ２０μｍ〜７０μｍである。アンテナの形状は、例えばダイポールアンテナであってもよい。アンテナの材質は例えば、銅であってもよい。銅箔のアンテナは、インレイ基材フィルムの上に銅箔層を形成し、レジストを用いてエッチングにより形成してもよく、アンテナ形状の銅箔をプレスなどによりインレイ基材フィルム上に貼り付けてもよい。
なお、図２中のインレイ５１はアンテナコイルの一部分を省略して図示している。
【００２６】
インレイ固着領域２２とインレイ５１の大小関係に特に制限はなく、図２のようにインレイ５１の一部がインレイ固着領域２２からはみ出していてもよく、また、インレイ固着領域２２がインレイ５１の全面を覆う大きさであってもよい。
被着体に貼り付けられたＲＦＩＤ粘着ラベル（１）１１はインレイ５１が被着体の表面から離れるように位置付ける（インレイ５１を表面から立ち上げる）ことが可能であり、当該位置に位置付けられたインレイ５１は被着体が金属であってもＲＦＩＤのリーダ／ライタと通信が可能となる。この場合に、インレイのアンテナ等を特別にチューニングする必要はない。
【００２７】
図３はＲＦＩＤ粘着ラベル（２）の使用例を説明する説明図であり、図４はＲＦＩＤ粘着ラベル（２）の構成を説明する説明図であり、（ａ）は斜視説明図、（ｂ）は展開説明図である。
【００２８】
ＲＦＩＤ粘着ラベル（２）１２は酒ビン７２の注ぎ口部分に貼り付けられている。ＲＦＩＤ粘着ラベル（２）１２は第１基材シート３１、第２基材シート４１とインレイ５１から構成される。本実施例では第１基材シート３１と第２基材シート４１は一体のシートから成り第１基材シート３１と第２基材シート４１の境界は折込線６１である。なお第１基材シート３１と第２基材シート４１は各々別のシートで作成してもかまわない。
第１基材シート３１は第１インレイ固着領域３２と第１粘着領域３３を有する。第２基材シート４１は第２インレイ固着領域４２と第２粘着領域４３を有する。インレイ５１は第１インレイ固着領域３２と第２インレイ固着領域４２の間に挿み込んで固着される。このとき、第１粘着領域３３と第２粘着領域４３がインレイ５１の同一辺から外側に向ってはみ出し、第１粘着領域３３と第２粘着領域４３が対面するように配置される。
【００２９】
インレイ５１と第１インレイ固着領域３２及び第２インレイ固着領域４２の固着には接着剤や粘着剤の使用等、公知の固着手段が使用できる。後に述べるように、ＲＦＩＤ粘着ラベル（２）１２の再剥離時における破壊の確実性の観点から、第１インレイ固着領域３２と第２インレイ固着領域４２の両者に固着手段が適用されインレイ５１の両面が各々の固着領域に固着されることが好ましい。
【００３０】
図４（ａ）を参照して、第１粘着領域３３と第２粘着領域４３の各々対面する面３４、４４に粘着剤層が形成されている。後に述べるＲＦＩＤ粘着ラベル（２）１２の再剥離時における破壊の確実性及び再剥離の非容易性の観点から、粘着剤は強粘着性であることが好ましい。強粘着性を数値で示せば、その初期粘着力が、通常８Ｎ／２５ｍｍ以上、好ましくは８〜５０Ｎ／２５ｍｍ、より好ましくは１０〜５０Ｎ／２５ｍｍ、さらに好ましくは１５〜５０Ｎ／２５ｍｍである。粘着力の値はＪＩＳ−Ｚ−０２３７に準じて測定したＳＵＳ板上での１８０度引き剥がし法による測定値の中央値である。
【００３１】
インレイ５１の固着手段と第１粘着領域３３、第２粘着領域４３に形成する粘着剤層は同一の粘着剤を使用することができる。単一の基材シートの、一方表面の全面に粘着剤層を形成し、第１粘着領域３３、第１インレイ固着領域３２、第２インレイ固着領域４２及び第２粘着領域４３とすれば、簡単かつ経済的である。
２つの粘着剤層は必要に応じて剥離紙で覆ってもよい。剥離紙は両面に剥離処理をした１枚の剥離紙を用いてもよく、２枚の剥離紙を用いてもよい。
【００３２】
第１粘着領域３３には第１粘着領域３３と第１インレイ固着領域３２を結ぶ方向（図４（ｂ）においては紙面横方向）に部分切断線１５が設けられている。同様に第２粘着領域４３には、第２粘着領域４３と第２インレイ固着領域４２を結ぶ方向に部分切断線１５が設けられている。部分切断線は、切断と非切断を連続したものであり、破線状、ミシン目状、１点鎖線状、不規則な長さの切断と非切断の繰り返しなど任意の形状に形成すればよい。ＲＦＩＤ粘着ラベル（２）剥離時に部分切断線における確実な切断が期待できることから、長い切断（例えば３〜５ｍｍ）と短い非切断（例えば０．５〜２ｍｍ）の繰り返しが好ましい。
【００３３】
部分切断線１５は第１粘着領域３３、第２粘着領域４３のみならず、第１インレイ固着領域３２、第２インレイ固着領域４２にも設けてもよい。ＲＦＩＤ粘着ラベル（２）１２の製造、加工容易化の観点から、部分切断線１５は第１粘着領域３３、第２粘着領域４３からはみ出して、第１インレイ固着領域３２、第２インレイ固着領域４２に固着されたインレイの端辺の直前まで連続して形成されることが好ましい。
【００３４】
ＲＦＩＤ粘着ラベルに含まれるインレイの切断、破壊のためには、部分切断線１５は第１粘着領域３３にのみ設ければよいが、より確実なインレイの切断、破壊のためには部分切断線１５は第１粘着領域３３と第２粘着領域４３の両方に設けることが好ましい。
【００３５】
インレイ５１には切り込み部である切り込み線５２が形成されている。切り込み線５２は部分切断線１５の延長線上又は延長線の近傍に設けられる。切り込み線５２は部分切断線１５と同時に切断加工される切り込みであってもよい。また、部分切断線１５が第１インレイ固着領域３２、第２インレイ固着領域４２にも延長して設けられる場合には、部分切断線１５の一部と一致する線分であってもよい。「近傍」とは切り込み線５２と部分切断線１５（又はその延長線）の平面距離が５ｍｍ以下、好ましくは３ｍｍ以下、より好ましくは１ｍｍ以下を意味する。この範囲であるとＲＦＩＤ粘着ラベル（２）１２剥離時に部分切断線開裂の力が切り込み線５２に作用し、インレイ５１の分離切断が容易化されるからである。切り込み部が線状の場合には、上記「近傍」の範囲内に複数の切り込み線を設けてもよい。
切り込み部は線状であってもよく、面状の切り込みでもよい。好ましい面状の切り込みは三角形である。
【００３６】
第１基材シート３１、第２基材シート４１の材質は、ＲＦＩＤ粘着ラベル（１）１１の基材シート２１について説明したと同様である。
インレイ５１はＲＦＩＤ粘着ラベル（１）１１に関して説明したものと同様である。ＲＦＩＤ粘着ラベル（２）１２に用いるインレイは、引裂き破壊の確実性を考慮して、保護シート等を形成することなく、インレイ基材フィルムとアンテナ、ＩＣチップ等の電気部品のみから成るインレイであることが好ましい。
【００３７】
図３を参照して、ＲＦＩＤ粘着ラベル（２）１２は、その第１粘着領域３３及び第２粘着領域４３が、酒ビン本体７３とアルミニウム製スクリューキャップ７４に跨るように貼着される。このとき、部分切断線１５が、酒ビン本体７３とスクリューキャップ７４の境目に略等しくなるように位置付けられることが好ましい。
【００３８】
貼着された状態で、第１基材シート３１と第２基材シート４１がそれぞれ平面状態を維持しようとする結果、このＲＦＩＤ粘着ラベル（２）１２のインレイは酒ビンのスクリューキャップ７４に対して垂直方向に位置付けられ、この位置付けが維持され得る。よって、ＲＦＩＤ粘着ラベル（２）１２のインレイはスクリューキャップ７４の表面から一定距離離れた位置に位置付けられるので、アルミニウム製スクリューキャップ７４の表面に貼り付けられているが、ＲＦＩＤの電磁波による通信は支障無く行うことができる。
【００３９】
ＲＦＩＤ粘着ラベル（２）１２には、内容物である酒の生産情報、生産者の固有情報などが記録される。また、流通にかかわる業者の情報を書き込んでも良い。小売店では、このような情報を販売、商品管理に使用することができる。また、小売店で、仕入れ日、販売価格などを記録してもよい。
【００４０】
ＲＦＩＤ粘着ラベル（２）１２を剥離する場合には、第１粘着領域３３は部分切断線１５で引裂かれる。同時にあるいは引続いて第２粘着領域４３は部分切断線１５で引裂かれる。これらの引裂きの力はインレイ５１の切り込み線５２に作用し、インレイ５１は引裂かれる。このとき、インレイのアンテナが切断され、インレイが破壊される。ＲＦＩＤ粘着ラベル（２）１２は、強粘着性の粘着剤で、酒ビン本体７３とスクリューキャップ７４を跨ぐ状態で貼り付いているので、ＲＦＩＤ粘着ラベル（２）１２を剥離することなく、内容物である酒を入れ替えることはできない。
このため、ＲＦＩＤ粘着ラベル（２）１２は、内容物である酒の信憑性を保証する手段となり得る。
【００４１】
本発明にかかるＲＦＩＤ粘着ラベルのインレイ固着領域は、方形に限られない。
図５は、円形に近いインレイ固着領域を有するＲＦＩＤ粘着ラベル（３）の展開説明図である。
ＲＦＩＤ粘着ラベル（３）１３は第１基材シート３１ａ、第２基材シート４１ａとインレイ５１ａから構成される。本実施例では第１基材シート３１ａと第２基材シート４１ａは一体のシートから成り第１基材シート３１ａと第２基材シート４１ａの境界は折込線６１である。
第１基材シート３１ａは第１インレイ固着領域３２ａと第１粘着領域３３ａを有する。第２基材シート４１ａは第２インレイ固着領域４２ａと第２粘着領域４３ａを有する。
第１インレイ固着領域３２ａと第２インレイ固着領域４２ａは略円形である。また、インレイ５１ａは円形である。
インレイ５１ａは第１インレイ固着領域３２ａと第２インレイ固着領域４３ａの間に挿み込んで固着される。
【００４２】
第１粘着領域３３ａには第１粘着領域３３ａと第１インレイ固着領域３２ａを結ぶ方向に部分切断線１５が設けられている。同様に第２粘着領域４３ａには、第２粘着領域４３ａと第２インレイ固着領域４２ａを結ぶ方向に部分切断線１５が設けられている。
インレイ５１ａには切り込み部である三角切り込み５３が形成されている。三角切り込み５３は部分切断線１５の延長線の近傍に設けられている。
ＲＦＩＤ粘着ラベル（３）１３のその他の構成や材料、その使用方法は、ＲＦＩＤ粘着ラベル（２）１２で説明したと同様である。
【００４３】
ＲＦＩＤ粘着ラベルは、ＰＯＰ効果をも有するものであり、ＲＦＩＤ粘着ラベル（３）１３のように円形にすれば、ＰＯＰの多様性を高めることができる。なお、ＲＦＩＤ粘着ラベルのインレイ固着領域は、矩形や円形などの他、三角形、多角形その他の任意の形状にすることが出来る。
【００４４】
本発明において、金属体とは、アルミニウム、銅、鉄、オーステナイト系、マンテンサイト系などのステンレス鋼、亜鉛メッキ鉄、銀、金などを含む。また、金属体には、アルミニウム箔に代表される金属箔、さらにはアルミニウム蒸着フィルムなどの金属蒸着フィルムを含むものである。
【００４５】
本発明にかかるＲＦＩＤ粘着ラベルの好適な被着体は、酒ビンに限られることはなく、飲料、食品、医薬品などの容器であって、二分割され、分離部分から内容物を出し入れする容器が含まれる。例えば、茶筒、クッキー缶、アルミニウム製ボトル、などが含まれる。
また、ワインやブランデーなどのキャップ保護シール部材とビン本体に跨って貼り付けると内容物の信憑性を保証する好適な印及び情報保持手段となる。
【産業上の利用可能性】
【００４６】
本発明にかかるＲＦＩＤ粘着ラベルは、例えば、酒ビンのアルミニウム製キャップ部分に貼り付けて、セキュリティ情報を記録する手段として使用可能である。
【図面の簡単な説明】
【００４７】
【図１】ＲＦＩＤ粘着ラベル（１）の使用例を説明する説明図である。
【図２】ＲＦＩＤ粘着ラベル（１）の構成を説明する説明図である。
【図３】ＲＦＩＤ粘着ラベル（２）の使用例を説明する説明図である。
【図４】ＲＦＩＤ粘着ラベル（２）の構成を説明する説明図であり、（ａ）は斜視説明図、（ｂ）は展開説明図である。
【図５】ＲＦＩＤ粘着ラベル（３）の展開説明図である。
【符号の説明】
【００４８】
１１  ＲＦＩＤ粘着ラベル（１）
１２  ＲＦＩＤ粘着ラベル（２）
１３  ＲＦＩＤ粘着ラベル（３）
１５  部分切断線
２１  基材シート
２２  インレイ固着領域
２３  粘着領域
３１  第１基材シート
３２  第１インレイ固着領域
３３  第１粘着領域
４１  第２基材シート
４２  第２インレイ固着領域
４３  第２粘着領域
５１  インレイ
５２  切り込み部である切り込み線
５３  切り込み部である三角切り込み
６１  折込線
７１  レトルトパウチ食品袋
７２  酒ビン
７３  酒ビン本体
７４  スクリューキャップ
【図１】
2006227670.tif 000003
【図２】
2006227670.tif 000004
【図３】
2006227670.tif 000005
【図４】
2006227670.tif 000006
【図５】
2006227670.tif 000007